(57)【要約】【課題】方立及び無目の結露を確実に防止することができ、コスト及び組み付け作業性が良好な建造物のカーテンウォールを提供すること。【解決手段】上下方向の方立１と、水平方向の無目２とで形成された枠内にパネル部材３を組込んでなる建造物のカーテンウォールであって、方立１及び無目２の室外側の端面１０，２０をそれぞれ覆うように配置されたカバー部材５Ａ，５Ｂと、方立１及び無目２の端面１０，２０に沿って設けられ、カバー部材５Ａ，５Ｂを取付ける取付部材４Ａ，４Ｂと、を備え、カバー部材５Ａ，５Ｂと方立１及び無目２との間でパネル部材３の外周部を挟持する構造において、取付部材４Ａ，４Ｂは、金属よりも熱伝導率が低い非金属材料からなる一体成形体で、基端に端面１０，２０に当接して固着せしめる固定部４１と、先端にカバー部材５Ａ，５Ｂを支持する支持部４２と、を備える。【選択図】        図１
2019078027.tif 000002
【特許請求の範囲】
【請求項１】
上下方向に延びる方立と、水平方向に延びる無目とで形成された枠内にガラス板等のパネル部材を組込んでなる建造物のカーテンウォールであって、
前記方立及び前記無目の室外側の端面にそれぞれ沿って上下方向及び水平方向に延在し、前記端面から所定の間隔をおいて前記端面を覆うように配置されたカバー部材と、
前記方立及び前記無目の前記室外側の端面にそれぞれ沿って上下方向及び水平方向に延在し、前記端面に前記カバー部材を取付ける取付部材と、を具備し、
前記カバー部材と前記方立との間、及び前記カバー部材と前記無目との間で前記パネル部材の外周部を挟持するようになし、
前記取付部材は、金属よりも熱伝導率が低い非金属材料からなる一体成形体で、基端に前記端面に当接して固着せしめる固定部と、先端に前記カバー部材に係合してこれを支持する支持部と、が形成されたことを特徴とする建造物のカーテンウォール。
【請求項２】
前記取付部材は、前記固定部の幅を前記端面の幅と合致せしめ、前記固定部で前記端面を被覆するようになした請求項１に記載の建造物のカーテンウォール。
【請求項３】
前記取付部材は、合成樹脂のポリアミド又はポリ塩化ビニルからなる成形体である請求項１又は２に記載の建造物のカーテンウォール。
【発明の詳細な説明】
【技術分野】
【０００１】
本発明は建造物の外壁面を形成する建造物のカーテンウォールに関するものである。
【背景技術】
【０００２】
建造物の外壁面を形成するカーテンウォールは、図６に示すように、上下方向に延びる縦桟としての方立１と、水平方向に延びる横桟としての無目２とを交差させて、これらで囲まれた枠内にガラス板や化粧板等のパネル部材３を組込んだ構造とされている。
従来のカーテンウォールには、方立および無目しとて、室内の内装部材や家具と調和する木製のものが用いられ、外気にさらされる部分が金属材で構成され、かつ木材と金属材との間の伝熱を遮断するカーテンウォールが提案されている（例えば、特許文献１参照）。
【０００３】
図７はこの種のカーテンウォールの代表例を示す。方立１側の組付け構造を中心に説明するが、無目２側も同様である。方立１には室外側の端面に沿って長手方向に金属製の取付具８が固定される。取付具８には、室外側に断熱性の合成樹脂からなる中間部材９が連結され、更にその室外側に、中間部材９を介して方立１の端面を覆う金属製のカバー部材５が取付けられる。そして、方立１とカバー部材５との間でパネル部材３の外周部がシール材３３及びバックアップ材３４を介して挟み込み固定される。尚、パネル部材３は一般に、対向する２枚のガラス板３ａ，３ｂの間に中空層３２を備えた複合ガラスが用いられる。
【０００４】
このように木製の方立１や無目２を用いたカーテンウォールでは、断熱性を有する中間部材９を設けることで、冬季などに室外側で冷却されるカバー部材５と取付具８との間で伝熱を遮断して、方立１や無目２の結露を防ぐ対策が行なわれている。
更に、カバー部材５と中間部材９との連結部及び中間部材９と取付具８との連結部は、部材間の長手方向の熱伸縮差を解消するように連結することで、部材間の熱伸縮差に起因するカーテンウォール構成部材の破損を防止している。
【先行技術文献】
【特許文献】
【０００５】
【特許文献１】特許第４３１５９８４号公報
【発明の概要】
【発明が解決しようとする課題】
【０００６】
ところで、カーテンウォールには、方立１や無目２とカバー部材５と間で、隣接するパネル部材３，３の間に空間Ｐが存在する。空間Ｐは、冬季に、外気ほどではないが室内よりも気温が低くなるため、金属製の取付具８が冷却される。更に取付具８からの伝熱により方立１や無目２が冷却され、空間Ｐと室内との気温差で、方立１や無目２が結露するおそれがあり、従来の結露対策では充分とはいえない。また、従来のカーテンウォールは、部品点数が多い分、コストがかかる上、組み付け作業に手間を要する。
そこで本発明は、前記事情に鑑み、冬季の方立及び無目の結露を確実に防止することができ、且つコスト及び組み付け作業性が良好な建造物のカーテンウォールを提供することを課題としてなされたものである。
【課題を解決するための手段】
【０００７】
本発明は、上下方向に延びる方立と、水平方向に延びる無目とで形成された枠内にガラス板等のパネル部材を組込んでなる建造物のカーテンウォールであって、
前記方立及び前記無目の室外側の端面にそれぞれ沿って上下方向及び水平方向に延在し、前記端面から所定の間隔をおいて前記端面を覆うように配置されたカバー部材と、
前記方立及び前記無目の前記室外側の端面にそれぞれ沿って上下方向及び水平方向に延在し、前記端面に前記カバー部材を取付ける取付部材と、を具備し、
前記カバー部材と前記方立との間、及び前記カバー部材と前記無目との間で前記パネル部材の外周部を挟持するようになし、
前記取付部材は、金属よりも熱伝導率が低い非金属材料からなる一体成形体で、基端に前記端面に当接して固着せしめる固定部と、先端に前記カバー部材に係合してこれを支持する支持部と、を備えている（請求項１）。
【０００８】
これによれば、方立や無目に直接固定する取付部材を金属よりも熱伝導の低い部材で構成したので、冬季などに室外のカバー部材が冷却されても、カバー部材からの伝熱を遮断する。更に、取付部材が設けられたカバー部材内側の空間の気温が低下しても、取付部材の伝熱の遮断により方立や無目が冷却されず、確実に方立や無目の結露を防止することができる。更に従来構造に比べて、部品点数が少なくすみ、コストの低減と、組み付け作業の向上を図ることができる。
【０００９】
前記取付部材は、前記固定部の幅を前記端面の幅と合致せしめ、前記固定部で前記端面を被覆する（請求項２）。
これによれば、カバー部材内側の空間の気温が低下しても、方立や無目の室外側の端面が取付部材の固定部で被覆されるので、より確実に方立や無目への伝熱を遮断して結露を防止することができる。
【００１０】
前記取付部材は、合成樹脂のポリアミド又はポリ塩化ビニルからなる成形体である（請求項３）。
これによれば、熱伝導率の低い合成樹脂のポリアミド又はポリ塩化ビニルの取付部材を用いることで、外気と方立及び無目との伝熱を確実に遮断できる。
【図面の簡単な説明】
【００１１】
【図１】本発明のカーテンウォールを示す図６のＸ−Ｘ線に沿う位置での断面図である。
【図２】本発明のカーテンウォールに用いる取付部材及びカバー部材の分解した状態の断面図である。
【図３】図６のＹ−Ｙ線に沿う位置での前記カーテンウォールの断面図である。
【図４】本発明の他のカーテンウォールを示すもので、図１に対応する断面図である。
【図５】本発明の他のカーテンウォールを示すもので、図３に対応する断面図である。
【図６】本発明を適用するカーテンウォールの正面図である。
【図７】図１に対応する従来のカーテンウォールの縦断面図である。
【発明を実施するための形態】
【００１２】
本発明のカーテンウォールは、図６に示すように方立１が左右方向に所定の間隔をおいて複数設置されており、相隣れる左右の方立１間に無目２が水平方向に設置され、かつ上下に所定の間隔を置いて複数設けられている。方立１及び無目２は木材で構成してある。そして格子状に組まれた枠状の方立１と無目２とで囲まれた升目内にパネル部材たる複合ガラス３が嵌め込んである。
【００１３】
本発明のカーテンウォールの基本構造は、図１、２に示すように、方立１の室外側の端面１０に、室外側へ突出する取付部材４Ａが固定され、取付部材４Ａを介して方立１の端面１０を覆うカバー部材５Ａが取付けられる。そして、方立１の端面１０とカバー部材５Ａとで複合ガラス３の周縁を挟み付けるようにしてある。尚、無目２側での基本構造も方立１側とほぼ同じである（図３参照）。
【００１４】
取付部材４Ａは、断熱部材であり、合成樹脂のポリアミド製の長尺な押出成形品である。一体成形された取付部材４Ａは全長にわたって同一断面構造をなす。取付部材４Ａは、方立１の端面１０から室外側へ突出する本体部４０と、本体部４０の室内側の基端に設けられた固定部４１と、本体部４０の室外側の先端でカバー部材５Ａを支持する支持部４２とを備えている。
【００１５】
固定部４１は、本体部４０の基端から左右両側へ突出する平板状に形成されている。そして、取付部材４Ａは、方立１の端面１０の幅方向中央位置に配し、固定部４１を方立１の端面１０に当接せしめて、固定部４１を複数のネジ部材Ｎにより締結することで固定されている。
【００１６】
支持部４２は、室外に面する平板状の室外面を備えている。そして支持部４２には、室外面に断面鉤形で、カバー部材５Ａを支持する係止部たる左右一対の係止爪４３，４３を備えている。
【００１７】
カバー部材５Ａはアルミニウム板で、方立１の室外側端部を覆うものであり、方立１の幅とほぼ同幅としてある。カバー部材５Ａは、裏面の幅方向中央に、取付部材４Ａの係止爪４３，４３に対応してこれらとは逆向きの係止爪５２，５２を備えている。
カバー部材５Ａは、裏面中央の係止爪５２，５２をそれぞれ取付部材４Ａの係止爪４３，４３に係止して方立１の室外側端部を覆うように取付けられている。このように係止により連結されたカバー部材５Ａと取付部材４Ａとは、長手方向に沿って相互に移動可能であり、部材間の長手方向の熱伸縮差を解消することができ、部材間の熱伸縮差に起因する破損を防止する。
【００１８】
また、図３に示すように、無目２にも室外側の端面２０に沿って水平方向に取付部材４Ｂを取付け、これによりカバー部材５Ｂを支持する構成である。尚、無目２の端面２０には上縁に、上向きの浅い断面コ字形をなすアルミニウム製のチャンネル部２１が組付けてある。チャンネル部２１は冬季に室内温度および湿度が室外よりも高く室内側のガラス面に結露が生じたときにこれを受ける役割をなす。
【００１９】
取付部材４Ｂは、方立１側の取付部材４Ａと同様に断熱部材であり、合成樹脂のポリアミド製の長尺な押出成形品で全長にわたって同一断面構造をなす。取付部材４Ｂは、端面２０から室外側へ突出する本体部４０と、本体部４０の室内側の基端に設けられた固定部４１と、本体部４０の室外側の先端でカバー部材５Ｂを支持する支持部４２とを備えている。また支持部４２には、室外面に断面鉤形で、カバー部材５Ｂを支持する係止部たる上下一対の係止爪４３，４３を備えている。
【００２０】
固定部４１は、本体部４０の基端から上下両側へ突出する平板状に形成されている。そして、取付部材４Ｂは、無目２の端面２０の上下幅方向中央位置に配し、固定部４１を端面２０に当接せしめて、固定部４１を複数のネジ部材Ｎにより締結することで固定されている。
【００２１】
カバー部材５Ｂはアルミニウム板で、無目２の室外側端部を覆うものであり、無目２の上下幅とほぼ同幅としてある。カバー部材５Ｂは、裏面の幅方向中央に、取付部材４Ｂの係止爪４３，４３に対応してこれらとは逆向きの係止爪５２，５２を備えている。カバー部材５Ｂは、裏面中央の係止爪５２，５２をそれぞれ取付部材４Ｂの係止爪４３，４３に係止して無目２の室外側端部を覆うように取付けられている。方立１側と同様に、係止により連結されたカバー部材５Ｂと取付部材４Ｂとは、長手方向に沿って相互に移動可能であり、部材間の長手方向の熱伸縮差を解消することができ、部材間の熱伸縮差に起因する破損を防止する。
【００２２】
複合ガラス３は、相対向する２枚のガラス板３ａ，３ｂがこれらの周縁でスペーサ３１を介して結合され、ガラス板３ａ，３ｂ間に中空層３２を備えた二重構造である。複合ガラス３は、室内側のガラス板３ａの室内面、及び室外側のガラス板３ｂの室外面の外周に、例えば合成樹脂発泡体のバックアップ材３４を接合される。そして、複合ガラス３は、方立１及び無目２にそれぞれ取付けられた取付部材４Ａ，４Ｂで囲まれた部分に配置される。更に、取付部材４Ａ，４Ｂにカバー部材５Ａ，５Ｂを取付け、カバー部材５Ａと方立１の端面１０側縁部との間、及びカバー部材５Ｂと無目２の端面２０側縁部との間でバックアップ材３４を介して複合ガラス３が挟み込まれる。更にまたガラス板３ａと方立１の端面１０側縁部との間隙、ガラス板３ａと無目２の端面２０側縁部との間隙、及びカバー部材５Ａ，５Ｂとガラス板３ｂとの間隙にシリコン系などのシール材３３を充填することにより複合ガラス３が取付けられる。尚、複合ガラス３の下縁は硬質ゴムの支持部材３５（図３）により取付部材４Ｂに支持されている。
【００２３】
また、図中７Ａ，７Ｂは、カバー部材５Ａ，５Ｂと複合ガラス３とのシールの劣化等により、カバー部材５Ａ，５Ｂと方立１や無目２との間の空間Ｐに侵入した雨水を排水するための部材である。例えば合成樹脂製の撚り紐で構成されている。これにより空間Ｐに侵入した水は撚り紐７Ａ，７Ｂを伝って排水される。
【００２４】
このように本実施形態のカーテンウォールは、上下方向に延びる方立１と、水平方向に延びる無目２とで形成された枠内に複合ガラス３を組込んでなる建造物のカーテンウォールであって、方立１及び無目２の室外側の端面１０，２０にそれぞれ沿って上下方向及び水平方向に延在し、端面１０，２０から所定の間隔をおいて端面１０，２０を覆うように配置されたカバー部材５Ａ，５Ｂと、方立１及び無目２の室外側の端面１０，２０にそれぞれ沿って上下方向及び水平方向に延在し、端面１０，２０にカバー部材５Ａ，５Ｂを取付ける取付部材４Ａ，４Ｂと、を具備し、カバー部材５Ａ，５Ｂと方立１との間、及びカバー部材５Ａ，５Ｂと無目２との間で複合ガラス３の外周部を挟持するようになし、取付部材４Ａ，４Ｂは、金属よりも熱伝導率が低い非金属材料からなる一体成形体で、基端に端面１０，２０に当接して固着せしめる固定部４１と、先端にカバー部材５Ａ，５Ｂに係合してこれを支持する支持部４２と、を備えている。
【００２５】
また本実施形態のカーテンウォールにおいて、取付部材４Ａ，４Ｂは、合成樹脂のポリアミドからなる成形体である。
【００２６】
本実施形態のカーテンウォールによれば、方立１や無目２に直接固定する取付部材４Ａ，４Ｂを金属よりも熱伝導の低い合成樹脂のポリアミドで構成したので、冬季などに室外のカバー部材５Ａ，５Ｂが冷却されても、カバー部材５Ａ，５Ｂから方立１や無目２への伝熱を取付部材４Ａ，４Ｂにより遮断できる。更に、取付部材４Ａ，４Ｂが設けられたカバー部材５Ａ，５Ｂ内側の空間Ｐの気温が低下しても、取付部材４Ａ，４Ｂの伝熱の遮断により方立１や無目２が冷却されず、確実に方立１や無目２の結露を防止する。更に従来構造に比べて、部品点数が少なくすみ、コストの低減と、組み付け作業の向上を図ることができる。
尚、取付部材４Ａ，４Ｂは、金属よりも熱伝導の低い合成樹脂のポリ塩化ビニルからなる一体成形体を用いてもよい。また、合成樹脂に限らず、金属よりも熱伝導の低いセラミックでもよい。
【００２７】
また、本発明を適用した他のカーテンウォールの構造として、図４、図５に示すように、固定部４１ａの横幅が方立１の端面１０の横幅と合致する同一寸法の取付部材４Ｃ、及び固定部４１ｂの上下幅が無目２の端面２０の上下幅と合致する同一寸法の取付部材４Ｄを用いてもよい。他のカーテンウォールの基本構造は、先のカーテンウォール（図１乃至図３の構造）と同一で、相違点中に説明する。
【００２８】
方立１側の取付部材４Ｃは、固定部４１ａが本体部４０の基端から左右両側へ延びる平板状に形成され、固定部４１ａの左右方向の横幅が、方立１の端面１０の左右方向の横幅と合致する同一寸法とされている。そして、取付部材４Ｃは、固定部４１ａを方立１の端面１０に当接せしめて、固定部４１ａで端面１０を被覆するように配置し、複数のネジ部材Ｎで締結されている。
【００２９】
そして、複合ガラス３は、カバー部材５Ａと方立１の端面１０を被覆した取付部材４Ｃの固定部４１ａとの間でバックアップ材３４を介して挟み込まれる。更に、室内側のガラス板３ａと方立１の端面１０を被覆した固定部４１ａとの間隙にシリコン系などのシール材３３が充填されている。このように、取付部材４Ｃの固定部４１ａで被覆された方立１の端面１０は、カバー部材５Ａの内側の空間Ｐとは隔離されている。
【００３０】
無目２側の取付部材４Ｄは、固定部４１ｂが本体部４０の基端から上下両側へ延びる平板状に形成され、固定部４１ｂの上下幅が、無目２の端面２０の上下幅と合致する同一寸法とされている。そして、取付部材４Ｄは、固定部４１ｂを無目２の端面２０に当接せしめて、固定部４１ｂで端面２０を被覆するように配置し、複数のネジ部材Ｎで締結されている。
【００３１】
そして、複合ガラス３は、カバー部材５Ａと無目２の端面２０を被覆した取付部材４Ｄの固定部４１ｂとの間でバックアップ材３４を介して挟み込まれる。更に、室内側のガラス板３ａと無目２の端面２０を被覆した固定部４１ｂとの間隙にシリコン系などのシール材３３が充填されている。このように、取付部材４Ｄの固定部４１ｂで被覆された無目２の端面２０は、カバー部材５Ａの内側の空間Ｐとは隔離されている。
【００３２】
このように他のカーテンウォールによれば、先のカーテンウォールと同様な作用効果が得られる上、取付部材４Ｃの固定部４１ａで方立１の端面１０を被覆し、取付部材４Ｄの固定部４１ｂで無目２の端面２０を被覆し、カバー部材５ａ，５ｂ内側の空間Ｐと方立１及び空間Ｐと無目２との間の伝熱を遮断したので、確実に方立１及び無目２の結露を防止することができる。
【符号の説明】
【００３３】
１：方立、  １０：端面、  ２：無目、  ２０：端面、  ３：複合ガラス（パネル部材）、  ４Ａ，４Ｂ，４Ｃ，４Ｄ：取付部材、４１，４１ａ，４１ｂ：固定部、４２：支持部、５Ａ，５Ｂ：カバー部材
【図１】
2019078027.tif 000003
【図２】
2019078027.tif 000004
【図３】
2019078027.tif 000005
【図４】
2019078027.tif 000006
【図５】
2019078027.tif 000007
【図６】
2019078027.tif 000008
【図７】
2019078027.tif 000009
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
上下方向に延びる方立と、水平方向に延びる無目とで形成された枠内にガラス板等のパネル部材を組込んでなる建造物のカーテンウォールであって、
前記方立及び前記無目の室外側の端面にそれぞれ沿って上下方向及び水平方向に延在し、前記端面から所定の間隔をおいて前記端面を覆うように配置されたカバー部材と、
前記方立及び前記無目の前記室外側の端面にそれぞれ沿って上下方向及び水平方向に延在し、前記端面に前記カバー部材を取付ける取付部材と、を具備し、
前記カバー部材と前記方立との間、及び前記カバー部材と前記無目との間で前記パネル部材の外周部を挟持するようになし、
前記取付部材は、金属よりも熱伝導率が低い非金属材料からなる一体成形体で、基端に前記端面に当接して固着せしめる固定部と、先端に前記カバー部材に係合してこれを支持する支持部とが形成され、
且つ、前記取付部材には前記支持部寄りの位置に、前記取付部材の長手方向に沿って延設され、前記カバー部材と、前記方立及び前記無目との間の空間の水を前記取付部材に沿って前記空間から排水する紐状の排水手段を備えることを特徴とする建造物のカーテンウォール。
【請求項２】
前記取付部材は、前記固定部の幅を前記端面の幅と合致せしめ、前記固定部で前記端面を被覆するようになした請求項１に記載の建造物のカーテンウォール。
【請求項３】
前記取付部材は、合成樹脂のポリアミド又はポリ塩化ビニルからなる成形体である請求項１又は２に記載の建造物のカーテンウォール。
【手続補正２】
【補正対象書類名】明細書
【補正対象項目名】０００７
【補正方法】変更
【補正の内容】
【０００７】
本発明は、上下方向に延びる方立と、水平方向に延びる無目とで形成された枠内にガラス板等のパネル部材を組込んでなる建造物のカーテンウォールであって、
前記方立及び前記無目の室外側の端面にそれぞれ沿って上下方向及び水平方向に延在し、前記端面から所定の間隔をおいて前記端面を覆うように配置されたカバー部材と、
前記方立及び前記無目の前記室外側の端面にそれぞれ沿って上下方向及び水平方向に延在し、前記端面に前記カバー部材を取付ける取付部材と、を具備し、
前記カバー部材と前記方立との間、及び前記カバー部材と前記無目との間で前記パネル部材の外周部を挟持するようになし、
前記取付部材は、金属よりも熱伝導率が低い非金属材料からなる一体成形体で、基端に前記端面に当接して固着せしめる固定部と、先端に前記カバー部材に係合してこれを支持する支持部とが形成され、
且つ、前記取付部材には前記支持部寄りの位置に、前記取付部材の長手方向に沿って延設され、前記カバー部材と、前記方立及び前記無目との間の空間の水を前記取付部材に沿って前記空間から排水する、浸透性を有する紐状の排水手段を備えている（請求項１）。